(57)【特許請求の範囲】
【請求項１】
マスクを照明するよう構成された、マイクロリソグラフィ投影露光装置（１０）の照明系であって、該マスクは該照明系の一部ではなく、該照明系が、
ａ）光パルスのシーケンスを発生させるように構成された光源（ＬＳ）と、
ｂ）前記光源と前記マスクとの間に配置されたターゲット面（３８）と、
ｃ）前記光源と前記ターゲット面の間の光路に配置された光学要素（３０）のアレイ（２８）であって、該光学要素が、２つの切換位置の間でデジタル式に切換可能である前記アレイ（２８）と、
ｄ）前記アレイと前記ターゲット面の間の光路に配置され、異なる偏向角によって入射光（４０）を偏向するように構成された調節可能光偏向光学ユニット（３２）と、
ｅ）２つの連続光パルス間で前記偏向角の変化があるように前記光偏向光学ユニットを作動させるように構成された制御デバイス（５２）と、
を含むことを特徴とする照明系。
【請求項２】
前記制御デバイス（５２）は、２つの光パルス間で前記アレイ（２８）の前記光学要素（３０）のうちの少なくとも１つを切り換えるように構成されることを特徴とする請求項１に記載の照明系。
【請求項３】
前記光偏向光学ユニット（３２）及び前記制御デバイス（５２）は、前記偏向角の変化の前に前記アレイ（２８）によって前記ターゲット面（３８）上に照明可能である第１の光パターン（４４ａから４４ｄ）が、該偏向角の変化の後で該アレイによって該ターゲット面上に照明可能である第２の光パターン（４４ａから４４ｄ）と重ならないように構成されることを特徴とする請求項１又は請求項２に記載の照明系。
【請求項４】
前記第１の光パターン（図２ａから図２ｄの４４ａから４４ｄ）と前記第２の光パターン（図２ａから図２ｄの４４ａから４４ｄ）は、該２つの光パターンの外部輪郭が重ならないように前記ターゲット視野上に配置されることを特徴とする請求項３に記載の照明系。
【請求項５】
前記第１の光パターン（図４の４４ａから４４ｄ）と前記第２の光パターン（図４の４４ａから４４ｄ）は、互いにからむことを特徴とする請求項３に記載の照明系。
【請求項６】
基準方向（Ｘ）に沿った前記アレイ（２８）の２つの隣接光学要素（３０）間の距離が、該基準方向に沿った該２つの光学要素（３０）の最大寸法よりも大きいことを特徴とする請求項５に記載の照明系。
【請求項７】
前記アレイを前記ターゲット面上に結像するレンズ（４６）が、該アレイ（２８）と該ターゲット面（３８）の間の前記光路に配置されることを特徴とする請求項１から請求項６のいずれか１項に記載の照明系。
【請求項８】
マスクを照明するよう構成された、マイクロリソグラフィ投影露光装置（１０）の照明系（１２）を操作する方法であって、該マスクは該照明系の一部ではなく、該方法が、
ａ）２つの切換位置の間でデジタル式に切換可能である光学要素（３０）のアレイ（２８）の上に光パルスのシーケンスを向ける段階であって、該アレイが、前記光源と前記マスクとの間に配置されたターゲット面（３８）を照明する前記向ける段階と、
ｂ）前記アレイから向けられた光を異なる偏向角によって前記ターゲット面に該アレイと該ターゲット面の間の光路に配置された調節可能光偏向光学ユニット（３２）を用いて偏向する段階であって、該偏向角の変化が２つの連続光パルス間で発生する前記偏向する段階と、
を含むことを特徴とする方法。
【請求項９】
前記アレイ（２８）の前記光学要素（３０）のうちの少なくとも１つが、２つの光パルス間で切り換わることを特徴とする請求項８に記載の方法。
【請求項１０】
前記偏向角の変化の前に前記アレイ（２８）によって前記ターゲット面（３８）上に照明可能である第１の光パターン（図２ａから図２ｄの４４ａから４４ｄ）が、該偏向角の変化の後で該アレイによって該ターゲット面上に照明可能である第２の光パターン（図２ａから図２ｄの４４ａから４４ｄ）と重ならないことを特徴とする請求項８又は請求項９に記載の方法。
【請求項１１】
前記第１の光パターンと前記第２の光パターンは、該２つの光パターンの外部輪郭が重ならないように前記ターゲット視野上に配置されることを特徴とする請求項１０に記載の方法。
【請求項１２】
前記第１の光パターン（図４の４４ａから４４ｄ）と前記第２の光パターン（図４の４４ａから４４ｄ）は、互いにからむことを特徴とする請求項１０に記載の方法。
【請求項１３】
基準方向（Ｘ）に沿った前記アレイ（２８）の隣接光学要素（３０）間の距離が、該基準方向に沿った光学要素の最大寸法よりも大きいことを特徴とする請求項１２に記載の方法。
【発明の詳細な説明】
【技術分野】
【０００１】
本発明は、パルス方式で操作される光源と、２つの切換位置の間でデジタル式に切換可能なＤＭＤ（デジタルミラーデバイス）又は別の光学要素アレイとを含むマイクロリソグラフィ投影露光装置の照明系に関する。
【背景技術】
【０００２】
集積電気回路及び他の微細構造化構成要素は、通常は、複数の構造化の層を通常はシリコンウェーハである適切な基板上に適用することによって生成される。層を構造化するために、これらの層は、最初に特定の波長領域からの光、例えば、深紫外（ＤＵＶ）、真空紫外（ＶＵＶ）、又は極紫外（ＥＵＶ）のスペクトル範囲の光に敏感なフォトレジスト（レジスト）で覆われる。その後に、このようにして被覆されたウェーハは、投影露光装置内で露光される。ここで、マスク上に配置された回折構造のパターンは、投影レンズを用いてフォトレジスト上に結像される。この場合に、一般的に結像スケールの絶対値は１よりも小さいので、そのような投影レンズは、時として縮小レンズとも呼ばれる。
【０００３】
フォトレジストを現像した後に、ウェーハは、エッチング処理を受け、その結果、マスク上のパターンに従って層が構造化される。依然として残っているフォトレジストは、その後に、層の残りの部分から除去される。全ての層がウェーハに適用されるまで、この工程は、そのように頻繁に繰り返される。
【０００４】
従来技術は、照明系の瞳平面を可変照明することができるようにミラーアレイを使用する照明系を開示している。その例は、ＥＰ  １  ２６２  ８３６  Ａ１、ＵＳ  ２００６／００８７６３４  Ａ１、ＵＳ  ７，０６１，５８２  Ｂ２、ＷＯ  ２００５／０２６８４３  Ａ２、及びＷＯ  ２０１０／００６６８７  Ａ１に見られる。一般的にこれらのミラーアレイは、この場合に、ミラーをある角度範囲にわたって連続的に傾斜させることができるミラーアレイである。
【０００５】
ＷＯ  ２０１２／１００７９１  Ａ１は、デジタル式に切換可能なマイクロミラーアレイをそれに加えて含む照明系を開示している。このマイクロミラーアレイは、レンズを用いて光学インテグレーターの光入射ファセット上に結像される。異なる作動によるものではあるが類似の照明系は、２０１３年１１月２２日にファイル参照番号ＥＰ  １３１９４１３５．３で出願された「マイクロリソグラフィ投影露光装置の照明系（Ｉｌｌｕｍｉｎａｔｉｏｎ  Ｓｙｓｔｅｍ  ｏｆ  ａ  Ｍｉｃｒｏｌｉｔｈｇｒａｐｈｉｃ  Ｐｒｏｊｅｃｔｉｏｎ  Ｅｘｐｏｓｕｒｅ  Ａｐｐａｒａｔｕｓ）」という名称の欧州特許出願から公知であり、この文献の内容は、本明細書と共に本出願の主題を成している。
【０００６】
デジタル式に切換可能なマイクロミラーアレイが照明系内に使用される場合に、必要とされるマイクロミラーの個数が一般的に非常に多いので、マイクロミラーアレイは、単一マイクロ機械構成要素として実現することができない。この理由から、上述のファイル参照番号ＥＰ  １３１９４１３５．３の欧州特許出願は、複数の比較的小さいマイクロミラーアレイを担体上に互いに隣合わせで配置し、これらのマイクロミラーアレイを個々のアレイの像がターゲット面上で互いに継ぎ目なく隣接するように特殊な結像光学ユニットを用いてターゲット面上に結像することを提案している。
【０００７】
照明系内のアレイがいかなるマイクロミラーも含まないが、異なる方式で切換可能である光学要素、例えば、ＬＣＤ内に使用されるような液晶セルを含む場合にも類似の問題が生じる。
【０００８】
切換可能光学要素を有するアレイを使用する場合の更に別の問題は、時としてこれらの光学要素が比較的遠くに分離されることにある。そのようなアレイがターゲット面上に結像される場合に、光学要素の像の間に、多くの場合に望ましくない相応に大きい間隙が生じる。
【０００９】
ＵＳ  ６，６２４，８８０  Ｂ２、ＵＳ  ２０１１／０１３４４０７  Ａ１、及びＵＳ  ７，９５７，０５５  Ｂ２は、照明系がいかなる従来のマスクも照明せず、マスクの機能を担うマイクロミラーアレイを照明する投影露光装置を開示している。そのような装置は、多くの場合に「マスクレス」とも呼ばれる。ＵＳ  ２０１１／０２４０６１１  Ａ１は、ウェーハ上の材料を直接に融除するために１次元のマイクロミラーアレイが使用される投影露光装置を記載している。ＵＳ  ２０１２／００８１６８５  Ａ１は、２つの連続光パルスの間で光の偏光方向を切り換えることができる照明系を開示している。
【先行技術文献】
【特許文献】
【００１０】
【特許文献１】ＥＰ  １  ２６２  ８３６  Ａ１
【特許文献２】ＵＳ  ２００６／００８７６３４  Ａ１
【特許文献３】ＵＳ  ７，０６１，５８２  Ｂ２
【特許文献４】ＷＯ  ２００５／０２６８４３  Ａ２
【特許文献５】ＷＯ  ２０１０／００６６８７  Ａ１
【特許文献６】ＷＯ  ２０１２／１００７９１  Ａ１
【特許文献７】ＥＰ  １３１９４１３５．３
【特許文献８】ＵＳ  ６，６２４，８８０  Ｂ２
【特許文献９】ＵＳ  ２０１１／０１３４４０７  Ａ１
【特許文献１０】ＵＳ  ７，９５７，０５５  Ｂ２
【特許文献１１】ＵＳ  ２０１１／０２４０６１１  Ａ１
【特許文献１２】ＵＳ  ２０１２／００８１６８５  Ａ１
【発明の概要】
【発明が解決しようとする課題】
【００１１】
本発明の目的は、２つの切換位置の間でデジタル式に切換可能な光学要素のアレイを用いて比較的大きいターゲット面を特に簡単な方式で均一に照明することができるマイクロリソグラフィ投影露光装置の照明系を指定することである。
【課題を解決するための手段】
【００１２】
本発明により、この目的は、光パルスのシーケンス（特に周期的シーケンス）を発生させるように構成された光源を有するマイクロリソグラフィ投影露光装置の照明系によって達成される。光源とターゲット面の間の光路内には、２つの切換位置の間でデジタル式に切換可能な光学要素のアレイが配置される。アレイとターゲット面の間の光路内には、異なる偏向角によって入射光を偏向するように構成された調節可能な光偏向光学ユニットが配置される。制御デバイスは、２つの連続光パルスの間で偏向角の変化があるように光偏向光学ユニットを作動させる。
【００１３】
従って、本発明により、ターゲット面は、与えられた時間に完全に照明されることは決してなく、部分的にしか照明されない。光偏向光学ユニットを調節し、かつ必要に応じて同じくアレイの光学要素を異なる切換位置に切り換えるために、連続光パルス間の比較的長い時間が使用される。このようにして、ターゲット面上の望ましい光分布は、時分割多重化と類似の方式で連続的に構築される。この場合に、全体的な強度分布は、時間積分によって生じる。アレイの光学要素のうちの少なくとも１つを２つの連続光パルスの間で切り換えることにより、ターゲット面内の各照明領域上に異なる光パターンを発生させることができる。
【００１４】
照明系では、ターゲット面上の強度分布のそのような連続構築は、フォトレジストも同じくその上に入射する強度を積分するので一般的に許容可能である。フォトレジストは、全露光にわたって積分された強度（時に照射量とも呼ばれる）が特定の閾値を超えた状態でのみその化学特性を変化させる。
【００１５】
すなわち、マスク平面内の照明角度分布は（及び従ってマスク平面と光学的に共役な投影レンズの像平面内の照明角度分布も同じく）、照明系内で瞳面内の投影レンズの時間積分空間分布によって予め決定される。アレイによって照明されるターゲット面が瞳面又はそれに共役な面であるか又は少なくともその照明を決定する場合に、本発明による瞳面の連続照明は、露光中に複数の個々の分布から照明角度分布を連続して組み立てることができる。
【００１６】
調節可能光偏向光学ユニットは、入射光を異なる方向に偏向することができるあらゆる光学要素とすることができる。特に、傾斜可能平面ミラー又は回転多角形ミラーのような反射光学要素、又は他に例えば傾斜可能楔要素又は回転楔要素のような屈折光学要素が考えられる。
【００１７】
一例示的実施形態において、光偏向光学ユニット及び制御デバイスは、偏向角の変化の前にアレイによってターゲット面上に照明可能である第１の光パターンが、偏向角の変化の後でアレイによってターゲット面上に照明可能である第２の光パターンと重ならないように構成される。これは、予め決められた個数の光パルスによる光視野の連続照明によって最大のターゲット面を通過することができることを保証する。この関連において、光パターンは、全ての照明領域のセットであり、暗領域が照明領域の間に残り、従って、暗領域は光パターンの一部ではないと理解しなければならない。
【００１８】
ここで考えられることは、第１の光パターンと第２の光パターンをターゲット視野上でこれらの２つの光パターンのエンベロープ（ｅｎｖｅｌｏｐｅｓ）（すなわち、外部輪郭）が重ならないように配置することである。この配置を使用すると、２つの光パターンは、例えば互いに隣合わせで一列に配置するか又はターゲット面上に予め決められた格子の２次元配置で配置することができる。このようにして、比較的大きいターゲット面をアレイを用いて非常に高速に照明することができる。光偏向光学ユニットとアレイの光学要素とのそのような制御は、特に光学要素の間の不可避の間隙がターゲット面上に転写されないか、又は非常に小さくてそれらを許容できる場合に適切である。
【００１９】
それとは対照的に、そのような間隙が許容不能に大きい場合に、第１の光パターンと第２の光パターンを互いにからませる（ｅｎｔａｎｇｌｅ）ことが多くの場合に好都合である。光偏向光学ユニットは、次に、光パターンのエンベロープが有意に重なるように２つの光パルスの間で光パターンを好ましくはごく僅かだけ変位させる。光パターン自体も重なる場合に、時間積分の後でこのアレイによってターゲット面上に事実上あらゆる強度分布を（多段強度分布も）照明することが可能である。
【００２０】
これは、アレイの２つの隣接光学要素の間の基準方向に沿った距離が、２つの光学要素の基準方向に沿った最大寸法よりも大きい場合に特に好都合である。第１の光パターンと第２の光パターンは、次に、ターゲット面上で第１の光パターンによって照明することができない間隙を第２の光パターンが照明するようにからませることができる。そのような間隙は、特に、アレイをターゲット面上に結像するレンズがアレイとターゲット面の間の光路に配置される場合に生じる場合がある。
【００２１】
光源は、１５０ｎｍ及び２５０ｎｍの中心波長を有する投影光を発生させるように構成されたレーザとすることができる。
【００２２】
本発明の主題は、更に、ａ）ターゲット面を照明し、２つの切換位置の間でデジタル式に切換可能である光学要素のアレイ上に光パルスのシーケンスを向ける段階と、ｂ）アレイとターゲット面の間の光路に配置された調節可能光偏向光学ユニットを用いて異なる偏向角だけアレイから向けられた光をターゲット面に偏向する段階であって、偏向角の変化が２つの連続光パルスの間で発生する上記偏向する段階とを含むマイクロリソグラフィ投影露光装置の照明系を操作する方法である。
【００２３】
本発明による方法の利点は、本発明による照明系を参照して上述したものに実質的に対応する。
【００２４】
アレイの光学要素のうちの少なくとも１つは、２つの光パルスの間で切り換えることができる。その結果、時間積分の後でターゲット面上に非常に異なる強度分布を発生させることができる。
【００２５】
偏向角の変化の前にアレイによってターゲット面上に照明される第１の光パターンは、偏向角の変化の後でアレイによってターゲット面上に照明される第２の光パターンと重ならない。
【００２６】
第１の光パターンと第２の光パターンは、２つの光パターンのエンベロープが重ならないようにターゲット視野上に配置することができる。
【００２７】
それに対する代替として、第１の光パターンと第２の光パターンは、互いにからませることができる。これは、アレイの隣接光学要素の間の基準方向に沿った距離が光学要素の基準方向に沿った最大寸法よりも大きい場合に特に好都合である。
【００２８】
本発明の更に別の特徴及び利点は、図面を参照して以下の例示的実施形態の説明から明らかになるであろう。
【図面の簡単な説明】
【００２９】
【図１】マイクロリソグラフィ投影露光装置のかなり簡略化した斜視図である。
【図２ａ】走査処理中の異なる時間での本発明による照明系の一部を示す略斜視図である。
【図２ｂ】走査処理中の異なる時間での本発明による照明系の一部を示す略斜視図である。
【図２ｃ】走査処理中の異なる時間での本発明による照明系の一部を示す略斜視図である。
【図２ｄ】走査処理中の異なる時間での本発明による照明系の一部を示す略斜視図である。
【図３】マイクロミラーアレイがレンズによってターゲット面上に結像される図２ａから図２ｄに基づく本発明の別の例示的実施形態による照明系の一部の図である。
【図４】マイクロミラーアレイによってミラー面上に連続して発生される光パターンが互いにからむ例示的実施形態を説明するための概略図である。
【発明を実施するための形態】
【００３０】
図１は、微細構造化構成要素のリソグラフィ生成に適する投影露光装置１０を非常に概略的な斜視図に示している。投影露光装置１０は、１９３ｎｍの中心波長を有する投影光を発生させるように構成された光源ＬＳと、光源ＬＳによって発生された投影光をマスク１４上に向け、描示する例示的実施形態では矩形である幅狭の照明視野１６を照明する照明系１２とを含む。他の照明視野形態、例えば、リングセグメントも同じく考えられる。
【００３１】
マスク１４上で照明視野１６内に位置する構造１８は、複数のレンズ要素Ｌ１〜Ｌ４を含有する投影レンズ２０を用いて感光層２２上に結像される。例えば、フォトレジストとすることができる感光層２２は、ウェーハ２４又は別の適切な基板に付加され、投影レンズ２０の像平面に置かれる。投影レンズ２０は、一般的に結像スケール｜β｜＜１を有するので、照明視野１６内に位置する構造１８は、投影視野１８’上に縮小サイズで結像される。
【００３２】
描示する投影露光装置１０では、マスク１４とウェーハ２４は、投影中にＹで表す方向に沿って変位される。この場合に、変位速度比は、投影レンズ２０の結像スケールβに等しい。投影レンズ２０が像を反転させる場合に（すなわち、β＜０）、マスク１４の変位移動とウェーハ２４の変位移動は、図１に矢印Ａ１とＡ２に示すように互いに対して逆方向に延びる。このようにして、照明視野１６は、比較的大きい構造化領域でさえも感光層２２上に連続的に投影することができるように、マスク１４にわたって走査移動によって導かれる。
【００３３】
図２ａは、照明系１２の一部を略斜視図に示している。複数のマイクロミラー３０を含有するマイクロミラーアレイ２８が担体２６上に配置される。各マイクロミラー３０は、２つの切換位置の間でデジタル式に切換可能である。この場合に、マイクロミラー３０は、マイクロミラーアレイ２８の面にわたって規則的な２次元配置で分散される。
【００３４】
特に、マイクロミラーアレイ２８は、マイクロ電気機械系（ＭＥＭＳ）構成要素として通常は実現されるデジタルミラーデバイス（ＤＭＤ）とすることができる。
【００３５】
光路内でマイクロミラーアレイ２８の下流には、アクチュエータ（この図には描示していない）を用いて２つの直交傾斜軸３４、３６の周りに傾斜可能な傾斜ミラー３２が配置される。傾斜ミラー３２は、マイクロミラーアレイ２８と、例えば、光学インテグレーターの光入射ファセット又は照明系１２の瞳面とすることができるターゲット面３８との間の光学光路に置かれる。
【００３６】
図２ａには、傾斜ミラー３２を第１の傾斜位置に示している。この第１の傾斜位置では、マイクロミラーアレイ２８によって反射された投影光４０は、ターゲット面３８上にその第１の領域４２ａ内に光パターンが生じるように向けられる。ここで、光パターン４４ａは、マイクロミラーアレイ８内のマイクロミラー３０の位置に依存する。従って、マイクロミラー３０の適切な作動によって光パターン４４ａを第１の領域４２ａ内で修正することができる。マイクロミラーアレイ２８内により多くのマイクロミラー３０が含有される程、光パターン４４ａを設定することができる空間解像度が増加する。
【００３７】
投影露光装置を操作する時に、光パターン４４ａは、光源ＬＳによって放出される１又は２以上の連続光パルス中に第１の領域４２ａに発生される。ここで、光パルスは、一般的に数ｋＨｚの周波数で光源ＬＳによって放出され、光パルスの持続時間ｔは、周期Ｔに対して短い（ｔ／Ｔ≪１）。投影光４０が照明系１２を通過しない間の光パルス間の時間間隔は相応に長い。
【００３８】
本発明により、光パルス間のこれらの長い時間間隔は、傾斜ミラー３２を一方又は両方の傾斜軸３４、３６によって傾斜させるために使用され、従って、この傾斜ミラーは、第２の傾斜位置に移される。このようにして、次の光パルスがターゲット面３８上に存在するときには、図２ｂによって示すように、第２の領域４２ｂが照明される。更に、マイクロミラーアレイ２８の少なくとも１つのマイクロミラー３０は、２つの連続光パルス間の時間間隔内に切り換えることができる。従って、第２の領域４２ｂ上に発生される光パターン４４ｂは、ターゲット面３８が以前に第１の領域４２ａ内で照明された際の光パターン４４ａとは、一般的に異なることになる。この場合に、２つの領域４２ａ、４２ｂは、好ましくは、ターゲット面３８上の光パターン４４ａ、４４ｂが少なくとも実質的に継ぎ目のない方式で互いに融合されるように互いに直接に隣接する。
【００３９】
１又は２以上の光パルス中に第２の光パターン４４ｂがターゲット面３８上に発生された後に、傾斜ミラー３２は、２つの連続光パルス間の別の時間間隔中にここでもまたアクチュエータを用いて傾斜軸３４、３６のうちの少なくとも一方の周りに傾斜され、従って、このミラーは、第３の傾斜位置に移される。その結果、次の光パルス中に、ターゲット面３８上の第３の領域４２ｃは、マイクロミラーアレイ２８によって反射される投影光４０によって第３の光パターン４４ｃで照明される。第３の光パターン４４ｃが、第２の光パターン４４ｂとは異なることが意図される場合に、マイクロミラーアレイ２８のマイクロミラー３０も少なくとも部分的に同時に切り換えられる。
【００４０】
図示の例示的実施形態において、ターゲット面３０内の第４の領域４２ｄ内に第４の光パターン４４ｄを発生させるために、傾斜ミラー３２及びマイクロミラー３０のそのような調節が再度繰り返される。
【００４１】
従って、ターゲット面３８は、それぞれ連続する２つの光パルス間の時間間隔中の傾斜ミラー３２の調節の後に、少なくとも４つの光パルスの期間にわたって光パターン４４ａから４４ｄによって完全に覆われたことになる。従って、時間積分の後で、全体ターゲット面３８にわたる光パターンの解像度に関する値が出現し、この値は、与えられた時間にマイクロミラーアレイ２８によってターゲット面３８上に発生させることができる解像度の４倍に対応する。
【００４２】
複数の光パルスが領域４２ａから４２ｄのうちの１つを照明する場合に、これらの連続光パルス間の時間間隔中にマイクロミラー３０だけを切り換えて傾斜ミラー３２を切り換えない選択肢が更に存在する。このようにして、領域４２ａから４２ｄの範囲での時間積分の後で異なる強度グラデーション（ｇｒａｄａｔｉｏｎｓ）を発生させることができる。感光層２２の露光中に合計で４０個の光パルスが利用可能である場合に、これらの４０個の光パルスは、４つの領域４２ａから４２ｄにわたって均一に分散させることができる。次に、各領域４２ａから４２ｄに対して１０個の光パルスが利用可能であり、これは、各領域４２ａから４２ｄの範囲の１０通りの異なる光強度のグラデーションに対応する。その結果、簡単で比較的小さいデジタルマイクロミラーアレイ２８を用いてターゲット面３８上に比較的大きい連続かつ多重のグラデーション強度分布を発生させることができる。それによって異なる照明角度分布の精密な設定だけでなく、冒頭で上述したファイル参照番号ＥＰ  １３１９４１３５．３の欧州特許出願に記載されているような視野依存照明角度分布の発生も可能になる。ここで、光学インテグレーター上の光パターンの解像度は非常に高く、従って、光学インテグレーターの小さい光入射ファセット上に異なる光パターンを発生させることができる。これらの光パターンはマスク上に直接に結像されるので、視野依存照明角度分布を発生し、かつマイクロミラーアレイ２８の作動によって照明視野１６の寸法に影響を及ぼすことも可能である。
【００４３】
図３は、個々のレンズ要素として示すレンズ４６がマイクロミラーアレイ２８とターゲット面３８の間の光路に配置された本発明による照明系に対する別の例示的実施形態を図２ａ〜図２ｄに基づく略斜視図に示している。レンズ４６は、マイクロミラーアレイ２８をターゲット面３８上に結像する。
【００４４】
図３には、更に、傾斜ミラー３２のためのアクチュエータ４８、５０と制御デバイス５２とを描示している。制御デバイス５０は、光源ＬＳと、アクチュエータ４８、５０と、マイクロミラーアレイ２８とを作動させ、それによって一方で光源ＬＳによって発生される光パルスと、傾斜ミラー３２及びマイクロミラー３０の調節工程との間で必要な同期を確実にする。
【００４５】
図３に示す配置を使用すると、図４に示すように、ターゲット面上の光パターンが互いにからむ（ｅｎｔａｎｇｌｅｄ）作動を実現することも可能である。図４は、４つの異なる時間におけるマイクロミラーアレイ２８上の４つの光分布を上段に示しており、明瞭化の理由から、マイクロミラーアレイ２８が４つのマイクロミラー３０のみを有することが示唆されている。マイクロミラー３０が大きい非反射領域５４によって互いから分離されていることを見ることが可能である。この例示的実施形態において、１つの基準寸法、例えば、Ｘ方向に沿ったマイクロミラー３０の寸法は、この基準方向に沿った隣接マイクロミラー３０の間の距離よりも大きくない。
【００４６】
図４によって中段に示すように、傾斜ミラー３２のためのアクチュエータ４８、５０は、この例示的実施形態では光パターン４４ａから４４ｄが互いにからむように制御デバイス５２によって作動する。傾斜ミラー３２の調節に依存してターゲット面３８上に照明される４２ａから４２ｄは、この場合に、マイクロミラー３０の像３０’の幅だけしか互いからオフセットされず、その結果、領域４２ａから４２ｄのエンベロープは、各場合に有意に重なる。領域４２ａから４２ｄの連続ピボット回転の結果として、ターゲット面３８は、図４の下段に示すように時間積分後に完全に照明される。
【００４７】
光パターン４４ａから４４ｄ内で「オフ位置」に傾斜され、従って、黒色に示すマイクロミラー３０は、図４の下段に示すように、時間積分強度分布内で互いにそれらのコーナで隣接する。その結果、傾斜ミラー３２を用いて光パターンをピボット回転させることによって達成することができることは、マイクロミラーアレイ２８の結像の場合であっても、非反射領域５４の像のない強度分布をレンズ４６を用いてターゲット面３８上に発生させることが可能であることである。
【符号の説明】
【００４８】
２８  マイクロミラーアレイ
３０  マイクロミラー
３２  傾斜ミラー
３４、３６  傾斜軸
３８  ターゲット面
【図１】
0006338685.tif 000002
【図２ａ】
0006338685.tif 000003
【図２ｂ】
0006338685.tif 000004
【図２ｃ】
0006338685.tif 000005
【図２ｄ】
0006338685.tif 000006
【図３】
0006338685.tif 000007
【図４】
0006338685.tif 000008